(57)【要約】ポンチ工具（３０，２３０）が、ポンチドライバ（４２，２０２）及びポンチ要素（８０，２８０）を含んでいる。ポンチ要素は、ポンチホルダ（５４，２８２）に取りつけたポンチ（８０，２８０）を含んでいて、ポンチホルダ及びポンチは滑動可能にポンチガイド（３４，２３４）内部に設置されている。ポンチ工具の有効長さは、ポンチドライバをポンチ要素に対してねじ（６０，６２，２６０，２６２）周囲で回転することにより長くすることができる。ポンチ工具（３０，２３０）は、ラッチ機構（３２，２３８）を含んでいる。ラッチ機構（３２．２３８）は、ラッチが（３８，２３８）ロック位置にある場合、ポンチ要素（８０，２８０）に対するポンチドライバ（４２，２０２）の回転を防止するためのものであり、ラッチがロック解除位置にある場合、そのような回転を可能とするためのものであって、従って、ポンチ工具（３０，２３０）の他の部分に対するポンチドライバ（４２，２０２）の不要な自由回転を制御するようになっている。穴あけ運転時に、ポンチドライバ、ポンチホルダ及びポンチは、外側のポンチガイドに対して滑動可能に押される。長さ調節が所望される場合、ポンチドライバ（４２，２０２）は、通常は回転しないポンチ、ポンチホルダ及びポンチガイドに対して回転できる。ロッキングディスク（３２，２３２）はポンチドライバに回転可能に取りつけることができる。ポンチ工具のロッキングディスクは、上向きに突出しているラッチ部材（３９）を受容するための下向きに開口しているキャビティを有していて、そのラッチ部材（３９）は、ロッキングディスクの自由回転を可能にするべく下向きに引きもどすことができる。別のポンチ工具のロッキングディスク（２３２）は、半径方向内向きに延伸しているキャビティあるいはくぼみ（２３５Ａ）と、ラッチ部材（２３９）とを有していて、そのラッチ部材（２３９）はラッチ部材を通過するくぼみのない部分の遮断あるいは通行を行なうために位置決めすることが可能である。提供されたラッチ機構は、ばね（６４）によりポンチドライバから隔離されていて、運転員が側面から容易にアクセス可能になっている。
2004536713.tif 000002
【特許請求の範囲】
【請求項１】
下部ポンチチップを有するポンチを備えたポンチ要素と、穴あけ操作時にポンチプレスのラムが係合するようになっている上部表面を有しているポンチドライバ要素とを具備するポンチ工具において；
該両要素が、軸方向に整列しかつ共に螺合しており、該両要素の相対回転に応じて、該ポンチドライバと該ポンチ要素とを組合わせた長さを軸方向に調節可能になっていて、該両要素の一方が、自身の軸から離間してかつ自身の周囲近傍にラッチ及びばねを含んでおり、該ラッチは、該両要素の軸に平行な軸に沿って、該両要素の相対回転を防止する上部ロック位置と、該両要素の相対回転が可能な下部ロック解除位置との間で可動であり、該ばねは、所定のばね定数を有し、かつ該ラッチを自身の該上部ロック位置に押し込んでいて、該ラッチは十分に小さな質量を有し、該ばねは十分に大きなばね定数を有していて、該ラッチは、穴あけ操作時におけるポンチプレスのラムによる該ポンチドライバ要素の打撃に応答して、該ラッチが自身の該ロック解除位置へ意図せずに移動することを防止するようになっている；ポンチ工具。
【請求項２】
該ポンチ要素が穴を有しているポンチガイドを含んでいて、穴あけ操作時に該ポンチは該穴を通って軸方向に移動しており；該ポンチガイドは、該ラッチと該ばねとを収容するハウジングを有している上部周囲部分を含んでいて、該ポンチドライバ要素が軸方向に延伸している複数のキャビティを含んでおり、該ポンチガイドに対する該ポンチドライバの回転を防止するために、該ラッチが自身の該上部ロック位置にある場合、該キャビティは該ラッチを収容するようになっている；請求項１に記載のポンチ工具。
【請求項３】
該ポンチガイドが上部リムを有していて；該ポンチドライバが、該ポンチガイドの該上部リムの下方に設置されたロッキングディスクを含んでおり、該ロッキングディスクは、円周囲に離間した複数の溝を自身の外周囲に有していて、該溝は該キャビティを形成し、さらに該ラッチが自身の上部ロック位置にある場合、該溝は該ラッチを受容するべく位置決めされている；請求項２に記載のポンチ工具。
【請求項４】
該ラッチが、該溝に軸方向に収容されるべく形成されたボデーを備えていて、該ボデーは自身の全長に沿って凹部を有しており、該ラッチに対する該ロッキングディスクの回転を可能にするために、該ラッチが自身の該下部ロック解除位置に移動する場合、該凹部は該ロッキングディスクを収容するようになっている、請求項３に記載のポンチ工具。
【請求項５】
該ラッチが、該リムより高くない高さに上向きに延伸している、手動で接近可能な表面を含んでいて、該ラッチの手動での下向き運動が容易なものとなっている、請求項４に記載のポンチ工具。
【請求項６】
該ポンチガイドが、ほぼ円筒状の外表面を有していて、さらに該ハウジングを少なくとも部分的に該円筒状の外表面外側に担持していて、該ラッチの手動操作が容易なものとなっている、請求項２に記載のポンチ工具。
【請求項７】
該ポンチドライバ要素は外周囲を含んでいて、該外周囲が、下向きに延伸し円周方向に離間し下向きに開口しているスロットを有しており、該スロットは、該キャビティを形成し、さらに該ラッチが自身の上部ロック位置にある場合該ラッチを受容するべく位置決めされている、請求項６に記載のポンチ工具。
【請求項８】
該ラッチがシャフトとキーとを含んでいて、該シャフトは、垂直に延伸し、該ハウジングにおいて垂直に滑動可能であって、該キーは、該シャフトの手動での運動を容易にするために該シャフトに取りつけられ、外向きに突出していて手動でアクセス可能になっている、請求項７に記載のポンチ工具。
【請求項９】
ポンチドライバと、ポンチ要素と、ラッチ部材とを具備するポンチ工具において：
該ポンチドライバは、穴あけ操作時にポンチプレスのラムが係合するようになっている上部表面を有していて；
該ポンチ要素は、該ポンチドライバと軸方向に整列しかつ螺合的に係合していて、該ポンチ要素が下部ポンチチップを有しており、該ポンチドライバと該ポンチ要素とが一体で有効長さを有していて、該有効長さは該ポンチドライバを該ポンチ要素に対して回転することにより変化されるようになっていて；
該ラッチ部材は該ポンチ要素に取りつけられていて、該ラッチ部材が、該ポンチ要素に対する該ポンチドライバの回転を防止するためのロック位置と、該ポンチ要素に対する該ポンチドライバの回転を可能にするためのロック解除位置とを有していて、該ラッチ部材が該ポンチドライバの外部に排列されている；ポンチ工具。
【請求項１０】
該ポンチドライバは、該ラッチ部材に対して、該ロック位置と該ロック解除位置との両方へ軸方向に自由に移動するようになっている、請求項９に記載のポンチ工具。
【請求項１１】
該ポンチドライバが周囲を有していて；該ポンチドライバは、該ポンチドライバの周囲を囲んで排列されたロッキング部分を有しており、さらに該ラッチ部材が該ロック位置において該ポンチドライバのロッキング部分と係合していて、該ポンチ要素に対する該ポンチドライバの回転を防止するようになっている、請求項９に記載のポンチ工具。
【請求項１２】
該ポンチドライバが周囲を有していて；該ポンチドライバは、該ポンチドライバの周囲を囲んで排列されたほぼ円筒状のロッキングディスクを有しており、さらに該ラッチ部材が該ロック位置において該ロッキングディスクと係合していて、該ポンチ要素に対する該ポンチドライバの回転を防止するようになっている、請求項９に記載のポンチ工具。
【請求項１３】
該ポンチ要素が、ポンチガイドと、該ポンチガイドに滑動可能に設置されたポンチホルダと、該ポンチホルダに取りつけられたポンチとを備えていて；該ラッチ部材は、該ポンチガイドに取りつけられ、さらに付勢部材を備えており、該付勢部材は、該ポンチドライバと該ポンチガイドとの間に作動可能に設置され、該ポンチドライバを該ポンチガイドから軸方向に離間するように復元可能に付勢しており；該ラッチ部材は、該付勢部材により該ポンチドライバから隔離されている；請求項９に記載のポンチ工具。
【請求項１４】
該ポンチドライバと該ポンチ要素との間の螺合可能な取りつけが、該ポンチホルダを該ポンチドライバと螺合可能な取りつけを含んでいる、請求項１３に記載のポンチ工具。
【請求項１５】
ポンチドライバと、ポンチ要素と、ラッチ部材とを具備するポンチ工具において：
該ポンチドライバは、穴あけ操作時にポンチプレスのラムが係合するようになっている上部表面を有していて；
該ポンチ要素は、該ポンチドライバと軸方向に整列しかつ螺合的に係合していて、該ポンチ要素が下部ポンチチップを有しており、該ポンチドライバと該ポンチ要素とが一体で有効長さを有していて、該有効長さは該ポンチドライバを該ポンチ要素に対して回転することにより変化されるようになっていて；
該ラッチ部材は該ポンチ要素に取りつけられていて、該ラッチ部材が、該ポンチ要素に対する該ポンチドライバの回転を防止するためのロック位置と、該ポンチ要素に対する該ポンチドライバの回転を可能にするためのロック解除位置とを有していて、該ラッチ部材が、該ポンチ部材により担持されていなくて、ラッチ部材は該ポンチドライバの軸方向移動により移動されないようになっている；ポンチ工具。
【請求項１６】
該ポンチ要素が、ポンチガイドと、該ポンチガイドに滑動可能に設置されたポンチホルダと、該ポンチホルダに取りつけられたポンチとを備えていて；該ラッチ部材は、該ポンチガイドに取りつけられ、さらに付勢部材を備えており、該付勢部材は、該ポンチドライバと該ポンチガイドとの間に作動可能に設置され、該ポンチドライバを該ポンチガイドから軸方向に離間するように復元可能に付勢しており；該ラッチ部材は、該付勢部材により該ポンチドライバから隔離されている；請求項１５に記載のポンチ工具。
【発明の詳細な説明】
【技術分野】
【０００１】
本発明は、ポンチプレスに使用するポンチセットアセンブリ、特に、削りによるポンチブレード長さの減少を補償するためにポンチが調節可能になっている、長さ調節式ポンチセットアセンブリに関する。
【背景技術】
【０００２】
本発明の背景
ポンチプレス運転におけるポンチアセンブリのくり返し使用は、本来的にポンチブレードあるいはチップの弱化あるいは損耗を招く。チップが弱化するとポンチアセンブリの効率が低下し、ポンチチップをとがねばならない。ポンチチップの端部を研摩することによりとがれ、このことによりブレード、従ってポンチの長さの短縮化を招く。従って、ポンチブレードのけずり取った部分を相殺するために、ポンチ長さを調節しなければならない。
【０００３】
長さ修正が可能な第一タイプのポンチセットアセンブリは、特許文献１，２に例示されている。これらの特許は、短くなったポンチブレードアセンブリを、シム、ワッシャ等をポンチに付加することにより相殺するポンチセットを開示している。この方法による問題は、付加したワッシャ等が一般に弱いものであって、ポンチに作用する一定の周期的な力に打ち勝つことができない。さらに、ポンチチップの長さは、効率的な運転に適した十分な短い長さになる以前のある限定された範囲内で調節できるだけであって、従って、ポンチチップをとぐ回数が限定されている。さらに、ポンチチップの長さの調節を可能にしているほとんどの方法は、調節するポンチチップへアクセスするために、ポンチ全体を取りはずす必要があり；このことは時間を無駄に使用している。さらに一たんポンチが分解されてしまうと、削り及び調節ステップが、使用時にチップが通過するストリッパプレート開口面に対するチップの軸方向位置にどのように影響するかを決定するために、さらなる労力を費やす必要がある。
【０００４】
これらの公知の方法に対する改善が、特許文献３，４に説明されている。これらの特許において、ポンチドライバ及びポンチホルダ又はポンチのボデーコンポーネントが、相互に係合可能なねじ部分により取りつけられていて、従ってポンチ全体長さの調節がねじ部分の回転で行なえるようになっている。各々の場合に、ロッキング機構が備えられている。特許文献３において、延伸可能なロッキングピンが、整列したロッキングピン穴に挿入され、そのピンがねじ部分と係合し、その回転を防止している。軸方向長さの調節が簡単になるものの、このアプローチはロッキングピンの取りはずし及び再挿入が必要とされる。
【０００５】
特許文献４において、組立てたポンチはポンチガイドに備えられた穴へ軸方向に滑動可能に受容される。ねじ端部を回転に対しロックするための取りはずし可能なロックが、弧状のワイヤクリップにより提供されていて、そのワイヤクリップは、半径方向内向きに延伸するカムピンを有している。弧状クリップは、ポンチホルダにおける環状溝及び半径方向内向きに延伸している穴に保持されていて、そのカムピンが内向きに延伸し、かつポンチボデーの雄ねじ端部における円周囲に配列された一連の溝に係合するようになっている。両方向への長さ調節は、ポンチホルダに対してポンチボデーを回転することにより行なわれ、カム先端が一方の溝からはずれそして他の溝と係合するようになっている。
【０００６】
特許文献５が、長さ調節式総形バイトのヘッドを開示していて、ポンチドライバと、総形バイトのボデーに取りつけられているポンチヘッドベースとの間のねじ継手における長さ調節を開示している。長さ調節リング部材は、ドライバとベースとの間で、両者から離間するように付勢されたばねであって、さらにそのリング部材は、中心開口部と、円周方向に離間した一連の穴とにより形成されていて、その中心開口部は、相対回転を防止するためにドライバのシャフトと係合するためのものであり、その穴は、ベースから延伸しているピンの対と係合するためのものである。調節は、リング部材及びドライバを握り、リング部材をピンとの係合から引きぬき、それらを次の真反対に対向している穴のセットがピンと整列する迄回転することにより行なわれる。総形バイトはポンチヘッドを囲んでいるポンチセットのばねを有していないので、リング部材を握り長さ調節を行なうことが可能である。そのような装置は、前述の引用特許文献等に開示されたタイプの、ポンチヘッドを囲んでいるポンチのばねと、ドライバと、ホルダコンポーネントとを有しているポンチセットには使用できないであろう。
【０００７】
別の長さ調節式ポンチ工具が特許文献６に開示されている。ポンチ工具は、取りつけ用ボルトを用いてポンチに取りつけられたポンチホルダを含んでいる。ポンチホルダはポンチドライバと螺合的に係合する。ポンチ工具の長さは、ポンチホルダに対してポンチドライバを係合したねじ周囲で回転することにより調節される。ポンチドライバは、ポンチホルダ周囲を不必要にも自由に回転するかも知れないものの、ロッキングボタンを包含している。
【０００８】
特許文献６のロッキングボタンは、ほぼ正方形の立体形状であって、その立体形状は、上部の直角な隅と、正方形端部を有している。ボタンは付勢ばねにより上向きに付勢されていて、正方形のボタン頂部を、ポンチドライバの下向きに開口した正方形の収容ポケットの中に押し込むようになっている。ボタンの正方形の下部ボデーは、ポンチホルダにおける上向きに開口している正方形ポケットに滑動可能に収容される。上向きに付勢されたロック位置において、正方形ボタンはキーとして作用していて、ポンチドライバとポンチホルダとの間に延伸し、それらの間の回転を防止している。ボタンが、ポンチホルダにおける受容ポケットの中へ、例えば運転員がアクセス可能なボタンを押し下げることにより、さらに押し下げられる場合、ボタンはもはやポンチドライバとポンチキーとにまたがっていることはできずに、ポンチドライバがポンチホルダに対して回転される。従ってボタンは、ポンチドライバと接触し、時にラムにより繰返される打撃の後で、ボタンとポンチドライバの上部受容ポケットとの間の相互作用により損耗されるかも知れない。これは望ましいものではない。
【０００９】
【特許文献１】
米国特許第４０３１７８７号明細書
【特許文献２】
米国特許第４１４１２６４号明細書
【特許文献３】
米国特許第４３７５７７４号明細書
【特許文献４】
米国特許第５１３１３０３号明細書
【特許文献５】
米国特許第５０２０４０７号明細書
【特許文献６】
米国特許第５３２９８３５号明細書
【発明の開示】
【発明が解決しようとする課題】
【００１０】
ラムの繰返し打撃により損耗しないポンチドライバの回転ロックを有しているポンチ工具が望ましいものである。利点は、ロック機構において、運転員がポンチ工具の頂部の中心穴からアクセスする必要がなく、ポンチ工具の側面からのアクセスを可能とすることである。
【課題を解決するための手段】
【００１１】
本発明の要約
本発明はポンチプレスに使用することのできるポンチ工具を提供することである。ポンチ工具は一般にポンチドライバ及びポンチ要素を含んでいる。ポンチ要素は、ポンチホルダに取りつけられたポンチとポンチガイドとを含んでいて、ポンチホルダ及びポンチは滑動可能にポンチガイドに受容されている。生産に使用されている間、ポンチドライバは、油圧ラムにより下向きに打撃され、取りつけられたポンチホルダ及びポンチを軸方向下向きに押し、ポンチガイドの底部を通過させ、受け金型に対抗して工作物を貫通させている。ポンチ工具の有効長さは調節可能である。というのはポンチホルダとポンチドライバとは螺合的に一体に取りつけられているからである。ねじ付きポンチドライバは、ポンチホルダ、ポンチ及びポンチガイドに対して回転でき、従ってポンチ工具の有効長さを長くあるいは短くすることができる。ポンチ工具は、損耗によりかつポンチの切削面を鋭利にするための研摩により、短くなったポンチ下部を補償するべく定期的に調節する必要がある。
【００１２】
ポンチホルダに対してポンチドライバが自由にかつ無制御に回転することは望ましいものではないので、本発明は、ポンチホルダとポンチとポンチガイドとに対するポンチドライバの回転を可能にしかつ不可能にするための機構を提供することである。本発明は、ポンチドライバに取りつけたロッキングディスクあるいはカラーと、ポンチガイドに取りつけたラッチとを提供する。ロック位置において、ラッチは、ラッチに対するロッキングディスクの回転を防止し従って、取りつけられたポンチドライバがポンチホルダに対し回転することを防止している。ロック解除位置において、ラッチは、ロッキングディスク及び取りつけられたポンチドライバがポンチホルダに対して回転することを可能にしている。
【００１３】
軸方向運動に関して、ポンチドライバ、ロッキングディスク、ポンチホルダ及びポンチは、ラムに押された場合一体として共に運動する。回転に関して、ポンチドライバと、ロッキングディスクと、ポンチホルダと、ポンチとにおけるいずれの回転もが、生産時には回避されるようになっている。ポンチ工具の有効長さを調節が所望される場合、一体として移動しかつ回転しない、ポンチホルダと、ポンチと、ポンチガイドとラッチ部材とに対して、ポンチドライバ及びロッキングディスクが共に回転する。ラッチがロック解除されると、ポンチドライバ及びロッキングディスクは、他の部品に対して回転することが可能となる。
【００１４】
ポンチ工具において、ポンチ工具は、下部ポンチチップを有するポンチを備えたポンチ要素と、穴あけ操作時にポンチプレスのラムが係合するようになっている上部表面を有しているポンチドライバ要素とを具備している。
該両要素が、軸方向に整列しかつ共に螺合しており、該両要素の相対回転に応じて、該ポンチドライバと該ポンチ要素とを組合わせた長さを軸方向に調節可能になっている。該両要素の一方が、自身の軸から離間してかつ自身の周囲近傍にラッチを含んでいる。該ラッチは、該両要素の軸に平行な軸に沿って、該両要素の相対回転を防止する上部ロック位置と、該両要素の相対回転が可能な下部ロック解除位置との間で可動である。該ラッチは、ばねを含んでいてもよくて、該ばねは、所定のばね定数を有し、かつ該ラッチを自身の該上部ロック位置に押し込んでいて、該ラッチは十分に小さな質量を有し、該ばねは十分に大きなばね定数を有していて、該ラッチは、穴あけ操作時におけるポンチプレスのラムによる該ポンチドライバ要素の打撃に応答して、該ラッチが自身の該ロック解除位置へ意図せずに移動することを防止するようになっている。
【００１５】
別のポンチ工具において、該ポンチ要素が穴を有しているポンチガイドを含んでいて、穴あけ操作時に該ポンチは該穴を通って軸方向に移動しており；該ポンチガイドは、該ラッチと該ばねとを収容するハウジングを有している上部周囲部分を含んでいる。該ポンチドライバ要素が軸方向に延伸している複数のキャビティを含んでおり、該ポンチガイドに対する該ポンチドライバの回転を防止するために、該ラッチが自身の該上部ロック位置にある場合、該キャビティは該ラッチを収容するようになっている。
【００１６】
さらに別のポンチ工具において、該ポンチガイドが上部リムを有していて；該ポンチドライバが、該ポンチガイドの該上部リムの下方に設置されたロッキングディスクを含んでいる。該ロッキングディスクは、円周囲に離間した複数の溝を自身の外周囲に有していて、該溝は該キャビティを形成し、さらに該ラッチが自身の上部ロック位置にある場合、該溝は該ラッチを受容するべく位置決めされている。別の実施態様において、該ポンチ工具がラッチを含んでいて、該ラッチが、該溝に軸方向に収容されるべく形成されたボデーを備えていて、該ボデーは自身の全長に沿って凹部を有しており、該ラッチに対する該ロッキングディスクの回転を可能にするために、該ラッチが自身の該下部ロック解除位置に移動する場合、該凹部は該ロッキングディスクを収容するようになっている。さらなる別の実施態様において、該ラッチが、該リムより高くない高さに上向きに延伸している、手動で接近可能な表面を含んでいて、該ラッチの手動での下向き運動が容易なものとなっている。別の実施態様において、該ポンチガイドが、ほぼ円筒状の外表面を有していて、さらに該ハウジングを少なくとも部分的に該円筒状の外表面外側に担持していて、該ラッチの手動操作が容易なものとなっている。
【００１７】
別のポンチ工具がポンチドライバ要素を含んでいて、該ポンチドライバ要素は外周囲を含んでいて、該外周囲が、下向きに延伸し円周方向に離間し下向きに開口しているスロットを有しており、該スロットは、該ラッチが自身の上部ロック位置にある場合該ラッチを受容するべく該キャビティを所定位置に形成している。ポンチ工具の実施態様において、該ラッチがシャフトとキーとを含んでいて、該シャフトは、垂直に延伸し、該ハウジングにおいて垂直に滑動可能であって、該キーは、該シャフトの手動での運動を容易にするために該シャフトに取りつけられ、外向きに突出していて手動でアクセス可能になっている。
【発明を実施するための最良の形態】
【００１８】
本発明の詳細な説明
以下の詳細図の異なる図面において同一の要素は同一の付番となっている。スケールを必要としない図面は例示の実施形態を示すものであって本発明における範囲を限定するものではない。本発明における数例の実施形態を示してあるが、当業者においては別の態様も理解できるであろう。図面および前述の説明に例示の実施形態は、説明目的のためであって特許請求の範囲に規定される本発明の範囲を限定することを意図しているものではない。
【００１９】
図１において、ポンチ工具３０が図示されている。ポンチ工具３０をポンチ工具の二つの運動に関して説明する。第一運動は、通常の軸方向の垂直穴あけ運動であって、その穴あけ運動は、アームの駆動力により穴が受け金型に対抗して工作物を貫通するように周期的に行なわれる。第二運動は、頻度が少ないものであって、ポンチ工具の回転運動を含むものであり、その回転運動は、ポンチ工具先端の損耗及び削れにより生じる短縮化を補償するべくポンチ工具の有効長を調整するために行なわれるものである。
【００２０】
ポンチ工具３０は、ポンチドライバのロッキングディスク部分３２に取りつけることのできるポンチドライバ４２を含んでいる。ポンチドライバ４２は、ロッキングディスク部分３２により螺合的かつ固定的に受容されていてもよい。通常、使用において、ポンチドライバ４２及びポンチドライバのロッキングディスク部分３２は、矢印１１１に示すように共に軸方向に移動する。この運動は、ポンチドライバ４２に下向き運動を付与するラム６６により打撃されるポンチドライバ４２に応答している。
【００２１】
ポンチホルダ５４は、ポンチドライバ４２の中にしっかりと設置されていてもよくて、かつポンチ１０４を有していてもよくて、そのポンチは、ポンチホルダ５４に保持されるか、又はポンチホルダ５４に取りつけられている。ポンチ１０４は通常ポンチチップ部分８０で終点となっている。ポンチ１０４は上部取りつけボルト８４と、ポンチボデー８２と、下部切断チップ８０とを含んでいる。ポンチガイド３４は、内部に滑動可能に収容されたポンチ１０４とポンチホルダ５４とを有している。ポンチ１０４及びポンチホルダ５４は、通常ポンチガイド３４に対する回転に対抗して取りつけられている。
【００２２】
ロッキングディスク部分３２はディスクスプリング６４により上向きに付勢されていてもよくて、かつポンチガイド３４から離れるように押されていてもよい。通常使用において、ラムが、ポンチドライバ４２と、ポンチホルダ５４と、ポンチ１０４とを押し、共に軸方向下向きにポンチガイド３４を通過させていて、ポンチチップ部分８０が下向きに押され工作物（図１には図示されていない）を貫通するようになっている。ラムの力がなくなった後に、付勢用ディスクスプリング６４は、ロッキングディスク部分３２及びポンチドライバ４２を上向きに押し、次の下向き力をラムから受け入れる受備をする。
【００２３】
ポンチ工具３０の有効長さを調節するために使用することのできる回転運動に関して説明する。ポンチドライバ４２は、ポンチホルダの雄ねじ６２と螺合する雌ねじ６０を有している。通常使用において、かつ長さ調節において、ポンチ１０４は、ポンチガイド３４及びポンチホルダ５４に対して回転しないように取りつけられている。ポンチ１０４と、ポンチガイド３４と、ポンチホルダ５４とは、使用中における予期せぬ回転を防止するために、一方又は両方の部材におけるキー及び／又はキー溝を有している。ポンチガイド３４とポンチホルダ５４とにおいて回転しないようにポンチ１０４を取りつけることは、ねじ６０及び６２周囲でのポンチドライバ４２の回転の可能性を残したものにしている。ポンチ工具３０の有効長さを調節するために、ポンチドライバ４２は矢印１０３で示すように回転できる。しかしながら、通常の穴あけ時において、ポンチドライバ４２の自由回転は一般に望ましいものではない。
【００２４】
不必要な回転を防止するために、ラッチ部材３８が図示されている。ラッチ部材３８は、ポンチガイド３４に取りつけられてもよいが、ロッキングディスク３２はラッチ部材３８に対して軸方向に自由に移動できる。もしラッチ部材３８がロッキングディスク部分３２の回転を防止するなら、ポンチガイド３４へ取りつけられたラッチ部材３８と、ポンチドライバ４２へ取りつけられたロッキングディスク部分３２とを用いて、ポンチホルダ５４に対するポンチドライバ４２の自由回転が防止される。同様に、ラッチ部材３８におけるロッキングディスク部分３２からの解放は、ポンチドライバ４２がねじ６０周囲で回転することを可能にし、従ってポンチ工具３０の長さの調節を可能にしている。
【００２５】
ポンチガイド３４、ポンチホルダ５４及びポンチ１０４は、共に“ポンチ要素”と考えてもよい。従ってポンチ要素は、ポンチドライバ４２に対して回転可能に取りつけられている。従って、ラッチ部材３８は、ポンチ要素がポンチドライバ４２に対して回転可能でること、あるいは回転不可能であることを調節することができる。従って、ラッチ部材３８は、ポンチ工具３０の有効長さの調節能力を可能あるいは不可能にすることができる。この実施態様において、ラッチ部材３８はポンチドライバ４２により担持されていなくてラムにより打撃されない。またラッチ部材３８は、頂部における中心穴からというよりは、むしろポンチの側面から操作するべくアクセス可能である。
【００２６】
図１において、ポンチ工具３０さらに詳述する。ポンチドライバ４２は、ポンチドライバ４２に取りつけた、ポンチドライバヘッドあるいはヘッドナット４４を有している。ラム６６（図１において点線で図示）は、ポンチドライバ４２とポンチ４４とを受容するためのスロット６７を有している。ラッチ部材３８はラッチハウジング４０に設置されている。ラッチハウジング４０は、ラッチスプリングブラインドキャビティの中にラッチ付勢スプリング４８を含んでいる。ラッチハウジング４０は、ラッチハウジング取りつけ穴４６を用いてポンチガイド３４に取りつけられている。ポンチホルダ５４は頂部ワッシャ５５を含んでいる。
【００２７】
図１におけるポンチ１０４は、三つの主コンポーネントを有するように図示されていて：そのコンポーネントは、下部ポンチチップ８０と、ポンチボデー８２と、ポンチ取りつけボルトヘッド８６を有している上部ポンチ取りつけボルト８４とである。ポンチ取りつけボルト８４は、ワッシャ５５に対して回転するようになっているポンチ取付けボルトヘッド８６を用いて、ポンチボデー８２に螺合的に取りつけられている。取りつけボルト８４は、ポンチボデー８２がポンチホルダ５４に対して引張り力により締めつけられるまで回転される。ポンチガイド３４は、底面４９と、底面４９を貫通して延在する底部オリフィス６２とを含んでいる。ある実施態様において、ポンチガイド３４がストリッパプレート７０を有している。ストリッパプレート７０は、ストリッパプレートリング７１に取りはずし可能に取りつけられている。キー溝が概略的に７２で図示されていて、対応するキーが７３で図示されている。キー７３及びキー溝７２は、ポンチ工具下部部分８０を含めたポンチ工具３０のポンチガイド３４内における自由回転を防止している。
【００２８】
図１に図示されるように、ラム６６によりポンチに作用される力はねじ６０及び６２を介してポンチホルダ５４及びポンチへ伝達され、従ってポンチはストリッパプレート７０を滑動可能に通過できる。ラム６６からの力が解放されると、ディスクスプリング６４により、ポンチドライバ４２はポンチガイド３４を介して上向きへ押す。さらに図１に示すように、ポンチドライバ４２は、ラッチ３８とポンチドライバ４２との間にいずれの継手もなく、ねじ６０及び６２周囲をポンチホルダ５４に対して自由に回転する。
【００２９】
図２において、ポンチ工具３０の斜視図が示されていて、ポンチ工具３０は、上面を備えたポンチドライバ頂部４３を有するポンチドライバ４２が含んでいる。ポンチドライバ４２はロッキングディスクあるいはカラー３２に取りつけられている。ロッキングディスク３２は、軸方向下向きに開口している複数のキャビテーあるいはスロット３６を含んでいて、そのスロット３６は、円筒状のロッキングディスク３２の外周囲に設置されている。ディスクスプリング６４がスロット３６を通して見ることができる。ポンチガイド３４も示されていて、ポンチガイド３４は、ラッチハウジング取りつけ用穴４６を介してポンチガイド３４に取りつけられたラッチハウジング４０を有している。軸方向に滑動可能なラッチ部材あるいはフィンガ３８は、ラッチハウジング４０に滑動可能に設置されている。ラッチ部材３８は、ラッチハウジング４０内に設置されたラッチスプリング（図２には図示されていない）により上向きに付勢されている。ラッチ頂部３９は、上向きに付勢された状態において、ロッキングディスク３２における最底部３３上方に配置される。上向きに付勢されている位置において、ラッチ上部３９は、スロット３６の頂部に対して上向きに延伸していない。従ってラムにより発生されるポンチドライバ４２の通常的で周期的な下向き運動の際中に、その間隙は、ロッキングディスク３２がラッチ部材３８の上方で下向きに押されることを可能にしている。
【００３０】
ポンチ工具３０の有効長さの調節を所望する場合、ラッチ３８がラッチ付勢スプリングに対抗して、ロッキングディスク最底部３３の下方に下向きに押し下げられ、ロッキングディスク３２がポンチガイド３４に対して回転することを可能にしている。前述したようにロッキングディスク３２及びポンチドライバ４２は、ポンチガイドとポンチホルダとポンチ（図２においてはポンチガイドだけが図示されている）とを共に含んでいる、ポンチ要素に対し共に回転できる。通常の穴あけの使用中に、ポンチドライバ４２及びロッキングカラー３２は、ディスクスプリング６４に対抗して共に下向きに移動し、ポンチガイド３４の底部からポンチ工具を押すようになっている。図２に示されるように、ポンチドライバ４２に対するラムの下向き打撃は、ラッチ３８とラッチハウジング４０との両方から隔離されている。従ってポンチドライバ４２は、ディスクスプリング６４によりラッチ３８から隔離されている。いずれの振動がラッチ３８へ伝達される場合でも、ラッチハウジング４０におけるラッチ３８の小さな繰返し運動でさえ、装置に対しての著しい損耗をもたらさず、あるいはポンチ工具３０の望ましくない回転あるいは延伸をもたらさない。ある実施態様において、ラッチスプリングは十分に大きなバネ定数を有しており、かつラッチ部材が十分に小さな質量であって、ラッチ３８における意図しないどのような運動をも防止するようになっている。ラッチ３８は側面からアクセスできるようになっている。
【００３１】
図３Ａにおいて、ロッキングディスクあるいはカラー３２が側面図として図示されている。ロッキングディスク３２は、最上部３７を有している。下向きに開口したキャビテーあるいはスロット３６を示している。ロッキングディスク３２は、スロット３６間に設置された円周部分であるディスク部分３５を含んでいて、そのディスク部分３５は最底部３３を有している。
図３Ｂは、図３Ａに示すロッキングディスクあるいはカラー３２の下面図である。ロッキングディスク３２は、前述したように下向きに延伸しているスロット３６すなわち内部スロットと円周部分３５とを含んでいる。
【００３２】
図４において、ポンチガイド３４は、ラッチハウジング４０から上向きに延伸しているラッチ部材あるいはフィンガ３８を有している。ポンチガイド３４は、ディスクスプリング支持用のスプリングサポートあるいは肩部９１を内部に含んでいて、その肩部９１はスナップリング９０により囲まれている。ポンチガイド３４は、ポンチホルダを滑動可能に受容する内壁面９２を内部に含んでいる。
【００３３】
図５は、ポンチ工具２３０の別の実施態様を示している。ポンチ工具２３０がポンチドライバ２０２及びロッキングディスクあるいはカラー２３２を含んでいて、そのカラー２３２はポンチガイド２０８の内部に設置されている。ラッチ機構２１４を図５に示す。ラッチ２１４は、ポンチハウジング（図５には図示されていない）においてポンチドライバ２０２の自由回転を防止するために使用されていて、一般にはポンチガイド２０８に対する回転に関して固定されている。ラッチ２１４は、ラッチ２１４に対するディスク２３２の回転を解除可能に防止することにより作動され、その場合ラッチ２１４がポンチガイド２０８に締めつけられ、かつロッキングディスクあるいはカラー２３２がポンチドライバ２０２に締めつけられる。ポンチガイド２０９が上部リム２０９を有していて、ラッチ２１４はリム２０９の垂直方向下方に載置されている。
【００３４】
図６にポンチ工具２３０の断面を示す。ポンチ工具２３０は、一般にポンチドライバ２０２、ロッキングディスクあるいはカラー２３２及びポンチガイド２３４を含んでいる。ポンチ工具２３０は一般にポンチも含んでおり、そのポンチは、ポンチホルダ２８２における穴に設置されたポンチ取りつけボルト２８４から構成されていて、ポンチホルダは、ポンチ取りつけボルト２８４によりポンチ下部２８０に取りつけられている。ポンチ取りつけボルト２８４は、ポンチホルダ肩あるいはワッシャ２５５に対して直接的に受容されていてもよい。ポンチ取りつけボルト２８４は取りつけ用ボルトヘッド２８６により回転されてもよい。取りつけボルト２８４はポンチ下部２８０に螺合的に受容されていて、従って、ポンチ下部２８０に対して引張力を作用している。ポンチ下部２８０は、ポンチガイド２３４に滑動可能に収容されていてもよくて、工作物へ向かって下向きに自由移動する。一つの実施態様において、ポンチ下部２８０はキー溝あるいは軸方向外部溝２７１を含んでいて、そのキー溝２７１は内向きに突出しているキー又はダウエル又はピン２７２を受け入れることができる。ダウエル２７２はポンチ下部２８０の回転を防止している。
【００３５】
ある実施態様において、ポンチドライバ２０２及びロッキングディスク２３２は、独立部材として形成されている。図５に示すような実施態様において、ポンチドライバ２０２及びロッキングディスク２３２は一体ユニットとして形成されている。
【００３６】
前述したようにポンチ要素は、ポンチガイド２３４と、ポンチホルダ２８２と、ポンチ下部２８０及びポンチ取りつけボルト２８４を含んでいるポンチとの組合せと考えてもよい。ポンチホルダ２８２が雌ねじ２６０を含んでいて、ポンチドライバ２０２は、ポンチホルダの雌ねじ２６０と係合する雄ねじ２６２を含んでいる。前述したように、ポンチ及びポンチハウジングは、通常ポンチガイド２３４に対する回転に関して固定されている。しかしながらポンチドライバ２０２はねじ２６０及び２６２に沿った軸周囲で回転できる。ポンチ要素あるいはポンチハウジング２８２に対するポンチドライバ２０２の自由回転は一般に所望されないので、回転は、所望する時だけ可能となっている。図６に示すように、ポンチ工具２３０の有効長さは、ポンチ要素あるいはポンチハウジング２８２においてポンチドライバ２０２を回転することにより調節できる。
【００３７】
ラッチ２１４は、付勢スプリングを収容するためのラッチスプリングキャビテー２５０を内部に有しているラッチハウジング２４０を含んでいて、ラッチ部材あるいはフィンガ２３８を上向きに押すようになっている。図６に示すように、ラッチ部材２３８は上向きに押された後に、クリップ２４１により上向き移動を制限されている。ラッチ部材２３８は凹部あるいはくぼみ部分２３９を有している。ラッチ２１４はより大きな直径区域２４３を有している。より大きな直径区域２４３は、くぼみ部分２３９と比較してより大きな外径あるいは断面領域を有している。
【００３８】
ロッキングディスク２３２は、周囲を囲んで設置された大きな外径域と小さな外径域とを有している。ロッキングディスクの大きな外径域２３５Ｂは、図６においてラッチ部材２３８の背後に点線で示されている。ロッキングディスク２３２に対し小さくした外径域２３５Ａは、ラッチ部材２３８の空き部分となっている。従ってロッキングディスクの大きな外径域２３５Ｂがラッチ部材２３８と接触するので、ロッキングディスク２３２はラッチ部材２３８を通過する回転を防止されている。もしラッチ部材２３８が押し下げられると、回転されたロッキングディスクの大きな外径域２３５Ｂが凹部あるいはくぼみ部分２３９を通過し、従ってロッキングディスク２３２及びポンチドライバ２０２は、ポンチ要素あるいはポンチホルダ２８２に対して回転することが可能となっている。
【００３９】
従って、ポンチ工具２３０の有効長さを調節する場合、ラッチ部材２３８は、ラッチの付勢スプリングキャビテー２５０におけるラッチの付勢スプリングに対して押し下げることができて、従ってロッキングディスク２３２の大きな外径域はくぼみ部分２３９を通過することが可能となり、従ってポンチドライバ２０２は回転し、ポンチ工具の長さがねじ２６０及び２６２に沿って調節可能となる。
【００４０】
ポンチ工具２３０は、キー取付けボルト２８９によりポンチガイド２３４に取りつけられたキー２９０を含んでいる。キー２９０は、ピンあるいはダウエル２９１を、ポンチハウジング２８２の側面に沿って形成されたキーあるいは溝２９３の中へ押し込むことができる。従って、ダウエル２９１及び溝２９３は共にポンチホルダ２８２が中心軸周囲で回転することを防止している。
【００４１】
図７Ａにおいて、ポンチドライバヘッド２４４を有しているポンチドライバ２０２がロッキングディスクあるいはカラー２３２に設置されている。ロッキングディスクあるいはカラー２３２は、大きな外径域の間に内向きに延伸するスロットを有する下部２３１を含んでいる。内向きに延伸するスロットあるいは大きな外径を小さくした領域２３５Ａが大きな外径域２３５Ｂの間に設置されている。ラッチ部材が内向きに延伸しているスロット２３５Ａに排列されるとき、ラッチ部材の最大外径が内向きに延伸するスロット２３５Ａに排列されるような位置において、ロッキングディスク２３２の自由回転は拘束されている。外径が小さくなっているくぼみあるいは区域がロッキングディスクの下部２３１へ向けて排列されるように、ラッチ部材を排列する場合大きな外径域２３５Ｂは、凹部あるいはくぼみを通過することができ、従ってロッキングディスク２３２の回転が可能となる。例示の実施態様において、ロッキングディスク２３２は、ポンチホルダ２８２（図７Ａには図示されていない）と係合するための下部雄ねじ部材（図７Ａには図示されていない）を含んでいる。
【００４２】
図７Ｂにおいて、ポンチホルダ２８２は、実施態様に応じて、ポンチドライバの及び／又はロッキングディスクのねじ部分に螺合するための雌ねじ部分２６０を含んでいる。ある実施態様において、ロッキングディスク２３２はポンチホルダの上部肩のリム頂部に載置されている。ポンチホルダ２８２は図６におけるポンチ取りつけボルト２８４のようなポンチ取りつけボルトを受け入れるための中心穴２８５を含んでいる。ポンチホルダ２８２が外表面２８３も含んでいて、その外表面２８３は、図６におけるポンチガイドのようなポンチガイドに滑動可能に受け入れ可能である。従って、ポンチ下部は、ポンチホルダ２８２の底部に取りつけることができる。ポンチホルダ２８２が溝あるいはくぼみ２９８も含んでいて、その溝２９８は、ダウエルあるいはキー例えば図６におけるダウエル２９１を受け入れ可能である。くぼみ２９８は、ポンチガイドにおけるポンチホルダ２８２の不要な回転を防止するために使用することができる。
【００４３】
図７Ｃは図６におけるポンチガイド２３４を示している。ポンチガイド２３４は、通常ラッチ機構を含むための、上部壁面くぼみ３０３を上部リム２０９の中に含んでいる。穴３０１が含まれていて、前述したスプリングにより付勢されたラッチ部材２３８を滑動可能に受け入れるようになっている。穴３０１が内側に開口している側面３０２を含んでいて、その側面３０２は、ラッチ部材２３８のくぼみ２３９が、内側に対面し、かつスカラップ状あるいはくぼみ状のラッチ部材２３８の通過を遮断あるいは通過可能にするために使用することができる。ポンチガイド２３４は、ポンチホルダ２８２とポンチ下部２８０とを受け入れ可能な内面３０５を含んでいる。ダウエル２７２はポンチホルダ２３４の中にあって、前述したようにポンチ下部２８０の回転を防止している。ダウエル２９１もポンチホルダ２３４の中にあって、前述したようにポンチホルダ２８２の回転を防止している。前述したように取りつけボルト２８９を受け入れるための穴もある。従って、ピン２７２及び２９１は、ポンチガイド２３４におけるポンチホルダとポンチ下部との軸方向移動を可能にする一方で、ポンチ下部及びポンチホルダがポンチガイド２３４から離間し回転しないことを保証するために使用されている。
【００４４】
図８はロッキングディスクあるいはカラー２３２を示す。ロッキングディスク２３２は内向きスロットあるいはくぼみ２３５Ｂを含んでいる。前述したように、内向きスロット２３５Ｂは、大きな外径域２３５Ａに対して間に排列されたより小さな外径域を形成している。前述したように、たいていの実施態様において、ラッチ部材がディスクに小さな外径域を提供している場合だけ、大きな外径域２３５Ａはラッチ部材２３８のようなラッチ部材を自由に回転通過し、ロッキングディスクの大きな外径域２３５Ａがくぼみあるいは凹部を通過することを可能にしている。図９にラッチ部材２３８を示す。ラッチ部材２３８は、くぼみ２３９すなわち外径が小さくなった区域を有している。ラッチ部材２３８は、くぼみ２３９より大きな外径を有する区域２４３も含んでいる。ラッチ部材２３８は、くぼみ２３９より大きな外径を有する上部リップ３１０も有している。上部リップ３１０は、ラッチ部材２３８がロッキングカラーあるいはディスクの下方に不意に押し下げられることを防止している。
【図面の簡単な説明】
【００４５】
【図１】図１は、本発明におけるポンチ工具の縦断面図である。
【図２】図２は、図１におけるポンチ工具の上から見た斜視図であって、下向きに開口したロッキングキャビテーを備えたロッキングディスクを含んでいる。
【図３Ａ】図３Ａは、図１及び２におけるロッキングディスクの側面図である。
【図３Ｂ】図３Ｂは、図１及び２におけるロッキングディスクの下面図である。
【図４】図４は、図１及び２におけるポンチガイドの上から見た斜視図である。
【図５】図５は、本発明における別のポンチ工具の斜視図であって、半径方向外向きに開口したロッキングキャビテーを備えたロッキングディスクを含んでいる。
【図６】図６は、図５におけるポンチ工具の縦断面図である。
【図７Ａ】図７Ａは、図５におけるポンチドライバおよびロッキングディスクの上から見る斜視図であって、ディスクが外周囲に配設された円周方向に離間した溝あるいはスロットを有している。
【図７Ｂ】図７Ｂは、図５におけるポンチ工具のポンチホルダの上から見た斜視図である。
【図７Ｃ】図７Ｃは、図５におけるポンチ工具のポンチガイドの上から見た斜視図である。
【図８】図８は、図５におけるポンチ工具のロッキングディスクあるいはカラーの上から見た斜視図である。
【図９】図９は、図５におけるポンチ工具のラッチ部材の側面図である。
【国際公開パンフレット】
2004536713.tif 000003
2004536713.tif 000004
2004536713.tif 000005
2004536713.tif 000006
2004536713.tif 000007
2004536713.tif 000008
2004536713.tif 000009
2004536713.tif 000010
2004536713.tif 000011
2004536713.tif 000012
2004536713.tif 000013
2004536713.tif 000014
2004536713.tif 000015
2004536713.tif 000016
2004536713.tif 000017
2004536713.tif 000018
2004536713.tif 000019
2004536713.tif 000020
2004536713.tif 000021
2004536713.tif 000022
2004536713.tif 000023
2004536713.tif 000024
2004536713.tif 000025
2004536713.tif 000026
2004536713.tif 000027
2004536713.tif 000028
2004536713.tif 000029
2004536713.tif 000030
2004536713.tif 000031
【国際調査報告】
2004536713.tif 000032
2004536713.tif 000033
2004536713.tif 000034